(57)【要約】【課題】本考案の目的は、使い捨てのマスクに適用可能であり、口や顔にマスク本体が接した場合に違和感や不快感を与えない、マスク装着時の口前空間を確保するマスク補助具を提供することである。【解決手段】マスク補助具１０、４０は、開口部１０ａ、２０ａと開口部１０ｂ、２０ｂを有している。開口部１０ｂ、２０ｂは開口部１０ａ、２０ａの隣に設けられる。マスクの耳紐を開口部１０ａ、２０ａ、開口部１０ｂ、２０ｂの順番に通して耳に引っかけるように構成される。【選択図】図３
0003235361.tif 000002
【実用新案登録請求の範囲】
【請求項１】
第一の開口部と第二の開口部を有し、
前記第二の開口部は前記第一の開口部の隣に設けられ、
マスクの耳紐を前記第一の開口部、前記第二の開口部の順番に通して耳に引っかけるように構成される、マスク補助具。
【考案の詳細な説明】
【技術分野】
【０００１】
本考案はマスク補助具に関し、特にマスク装着の際にマスクと口の間に空間を確保するマスク補助具に関する。
【背景技術】
【０００２】
従来、マスク装着時に呼吸や会話をスムーズに行えるように口前空間を確保するマスク補助具がある。
【先行技術文献】
【特許文献】
【０００３】
【特許文献１】実用新案登録第３２３１５５９号公報
【特許文献２】実用新案登録第３２３１０６１号公報
【特許文献３】実用新案登録第３２２９２８３号公報
【特許文献４】特許第６８５８２９２号公報
【考案の概要】
【考案が解決しようとする課題】
【０００４】
しかし、特許文献１に示す支持ストリップを備えたフェイスマスクは、細長い支持ストリップをマスク本体１０の中間一に配置する構成であるため、使い捨てのマスクに適用することが困難である。また、マスク本体に支持ストリップを配置するため、口や顔にマスク本体が接した場合に違和感や不快感を与えるという問題もある。
特許文献２に示すマスク１は、マスク本体１０の接合部に鼻から口にかけて上下方向に設けられた細長袋状の芯材収容部２０と芯材収容部２０に収容され、着用時に鼻孔及び口とマスク本体１０との間に一定の空間４０を形成し得る剛性有する芯材３０を備える構成であるため、使い捨てのマスクに適用することが困難である。また、マスク本体に芯材を配置するため、口や顔にマスク本体が接した場合に違和感や不快感を与えるという問題もある。
特許文献３に示すマスク補助具Ａは、口幅と対応する長さを備え、任意に湾曲可能とした空間保持部１と、空間保持部１と連続して上方へ立ち上げた支持腕部２と、支持腕部２の先端を折り返してマスク係止部３０を形成する折り返し端部３を備え、マスクの背面に折り返し端部３をマスク上縁より突出させてあてがい、突出した折り返し端部３をマスク表面側に折り返してマスク係止部３０としてマスクに取り付け、空間保持部１を表面方向に湾曲 突出させて湾曲空間保持部１０とし、マスク装着時の口 前空間を湾曲空間保持部１０によって確保する構成であるが、マスク本体にマスク補助具Ａを設ける構成であるため、口や顔にマスク本体が接した場合に違和感や不快感を与えるという問題もある。また、マスク補助具Ａは、息や唾等があたる位置に配置されるため、マスクの使用後にいちいち洗浄をしなければならないという問題がある。また、使い捨てのマスクに用いるにはコスト面に問題がある。
特許文献３に示すマスクは、マスク本体にワイヤーを設ける構成であるため、使い捨てのマスクに適用することが困難である。また、口や顔にマスク本体が接した場合に違和感や不快感を与えるという問題もある。
【０００５】
本考案は、このようなことに鑑みてなされたものであり、本考案の目的は、使い捨てのマスクに適用可能であり、口や顔にマスク本体が接した場合に違和感や不快感を与えない、マスク装着時の口前空間を確保するマスク補助具を提供することである。
【課題を解決するための手段】
【０００６】
上記目的は、
第一の開口部（１０ａ）と第二の開口部（１０ｂ）を備え、
前記第二の開口部（１０ｂ）は前記第一の開口部（１０ａ）の隣に設けられ、
マスクの耳紐を前記第一の開口部（１０ａ）、前記第二の開口部（１０ｂ）の順番に通して耳に引っかけるように構成される、マスク補助具（１０）
によって達成できる。
【考案の効果】
【０００７】
本考案によれば、使い捨てのマスクに適用可能であり、口や顔にマスク本体が接した場合に違和感や不快感を与えない、マスク装着時の口前空間を確保するマスク補助具を提供することができる。
【図面の簡単な説明】
【０００８】
【図１】本考案の実施の形態によるマスク補助具１０の正面図である。
【図２】本考案の実施の形態によるマスク補助具１０をマスク２０に取り付けた状態を示す。
【図３】本考案の実施の形態によるマスク補助具１０の使用例である。
【図４】本考案の実施の形態によるマスク補助具２０の使用例である。
【考案を実施するための形態】
【０００９】
本考案の実施の形態によるマスク補助具１０、４０について、図１及び図４を用いて説明する。なお、以下の全ての図面においては、理解を容易にするため、各構成要素の寸法や比率などは適宜異ならせて図示している。
【００１０】
図１は、マスク補助具１０の正面図である。マスク補助具１０は、シート状で、紙材、プラスチック等の合成樹脂、シリコン、金属等の様々な材料を用いて製造可能であるが、肌触りやコストを考慮すると紙材が好適である。
【００１１】
図１に示すように、マスク補助具１０は、開口部１０ａ、１０ｂを有している。開口部１０ａは、縦の長さが８ｍｍ〜１２ｍｍ、横の長さが２．５ｍｍ〜５ｍｍの範囲の略長方形の形状をしている。開口部１０ａは、縦の長さが８ｍｍ〜１２ｍｍ、横の長さが２．５ｍｍ〜５ｍｍの範囲の略長方形の形状をしている。開口部１０ｂは、縦の長さが１２ｍｍ〜２５ｍｍ、横の長さが２．５ｍｍ〜５ｍｍの範囲の略長方形の形状をしている。開口部１０ａと開口部１０ｂは、1．０ｍｍ〜５ｍｍの間隔が設けられている。なお、開口部１０ａ、１０ｂの大きさや開口部１０ａと開口部１０ｂの間隔はこれら以外を採用する場合があってもよいし、開口部１０ａ、１０ｂは、楕円、円形、三角等の様々な形状であってもよい。また、開口部１０ａの縦の長さが開口部１０ｂの縦の長さよりも短くなるように構成されるのが好適であるが、開口部１０ａの縦の長さと開口部１０ｂの縦の長さが同じとなる場合があってもよいし、開口部１０ａの縦の長さが開口部１０ｂの縦の長さよりも長くなる場合があってもよい。
【００１２】
図２は、マスク補助具１０をマスク２０に取り付けた状態を示している。図２に示すように、マスク補助具１０の開口部１０ａの裏側から表側に向けてマスク２０の耳紐１０を通し、開口部１０ｂの表側から裏側に向けて耳紐２０を通すことで、マスク補助具１０がマスク２０に取り付けられる構成である。
【００１３】
図３は、マスク補助具１０の使用例を示している。マスク補助具１０を用いることで耳紐２１の上下の間隔を狭めることでマスク２０の本体部が「く」の字状になり、口前空間３０が口前とマスク本体の間に形成される。
【００１４】
図４は、マスク補助具４０の正面図である。マスク補助具４０は、シート状で、紙材、プラスチック等の合成樹脂、シリコン、金属等の様々な材料で構成されるが、肌触りやコストを考慮すると紙材が好適である。
図４に示すように、マスク補助具４０は、開口部２０ａ、２０ｂを有している。開口部２０ａ、２０ｂは、縦の長さが１２ｍｍ〜２５ｍｍ、横の長さが２．５ｍｍ〜５ｍｍの範囲の略長方形の形状をしている。開口部２０ａと開口２１０ｂは、１．０ｍｍ〜５．０ｍｍの間隔が設けられている。なお、開口部２０ａ、２０ｂの大きさや開口部１０ａと開口部１０ｂの間隔はこれら以外を採用する場合があってもよいし、開口部２０ａ、２０ｂは、楕円、円形、三角等の様々な形状であってもよい。
本実施形態によるマスク補助具４０の開口部２０ａと開口部２０ｂは、同じ形状、大きさで構成される。
【００１５】
このように、本実施形態によるマスク補助具１０、２０をマスクに用いることで以下の効果を奏する。
（あ）マスク補助具１０、２０は、二つの開口部を有する構成であればよいため、低コストで製造することが可能であり、使い捨てマスクに対しても適用できる。
（い）マスク本体にワイヤーや支持部を設けなくても口前空間を形成することが可能となるため、口や顔にマスク本体が接した場合でも違和感や不快感を与えることはない。
（う）息や唾等が直接的にかかる場所に設けられないため、マスクの使用毎に取り換えなくてもよい。
【００１６】
本発明は、上述の実施の形態に限らず種々の変形が可能である。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない。
【産業上の利用可能性】
【００１７】
本考案は、口鼻の覆うマスクにおいて広く利用可能である。
【符号の説明】
【００１８】
１０、４０  マスク補助具
１０ａ、１０ｂ  開口部
２０  マスク
２１  耳紐
３０  口前空間
【図１】
0003235361.tif 000003
【図２】
0003235361.tif 000004
【図３】
0003235361.tif 000005
【図４】
0003235361.tif 000006